(57)【特許請求の範囲】
【請求項１】
炭酸飲料又はビールを充填する缶体ｋ内に挿入するサイフォン管ｓの下端部に接続する炭酸飲料又はビールを抽出するサーバーにおいて、
前記サーバーは、カバー体５と抽出本体１とからなる飲料抽出器ａを有し、該抽出器ａを構成する前記抽出本体１は、該抽出本体を構成する外周壁面部２に、一端部には吸引抽出口部３ａを、他端部には排出口部４を設けると共に、前記吸引抽出口部３ａと排出口部４とを接続する抽出通路部３を形成し、前記排出口部４を前記サイフォン管ｓに接続せしめ、前記カバー体５は、一端部に吸引口部５ａを他端部に開口部５ｂを有し、抽出時に前記抽出通路部３から飲料又はビールが漏れないように、且前記抽出本体１の外周壁面部２を密着状に被覆する構造にて形成し、前記抽出本体１の抽出通路部３は、左側方から右側方へ、右側方から左側方に交互に繰返すカーブ状もしくはウェーブ状とするか、もしくは右側方から左側方へ、左側方から右側方に交互に繰返すカーブ状もしくはウェーブ状とすると共に、前記カバー体５の吸引口部５ａを前記抽出通路部３の吸引抽出口部３ａに接続し飲料又はビールを抽出可能にしたことを特徴とする炭酸飲料及びビールサーバー。
【請求項２】
前記カーブ状抽出通路部３は、折曲して形成されるダウン状の折曲底部１０及びアップ状の折曲頂部１１もしくは折曲状左側折曲部及び折曲状右側折曲部を設け、前記折曲底部１０と折曲頂部１１とを接続するか、もしくは左側折曲部と右側折曲部とを接続する抽出通路部を直線状にして、且平行状にて形成せしめることを特徴とする請求項1記載の炭酸飲料及びビールサーバー。
【請求項３】
前記抽出本体１は、外観を円柱形状とし、且外周壁面部２に設けたカーブ状抽出通路部３の一端部を吸引抽出口部３ａとし、前記抽出通路部３の他端部は、前記抽出本体１の内部に潜入し、且上面部６に突設する排出口部４を形成すると共に、前記カバー体５は、上方に前記抽出本体１が嵌挿可能な開口部５ｂを、且中空状部１４は前記抽出本体１の外周壁面部２と密着可能な形状とし、前記カバー体５の下方の端部は、前記抽出本体１の吸引抽出口部３ａと接続する吸引口部５ａを設け、前記抽出本体１とカバー体５とを嵌込み組立てることを特徴とする請求項１又は２記載の炭酸飲料及びビールサーバー。
【発明の詳細な説明】
【０００１】
【発明の属する技術分野】
本発明は、炭酸飲料及びビールサーバーと、前記サーバーを具備する缶体の保冷及び転倒防止用具の技術分野に関するものである。
【０００２】
【従来の技術】
従来炭酸飲料及びビールサーバーとして、特開平８−２０７９９７号及び特開２０００−２５８９４号並に特開２０００−１５９２９４号公開特許公報等が開示されている。
【０００３】
前記公開特許公報に掲載されているコアとカバー体とからなる減圧抽出部は、ビールが注入されている缶体の開口部の大きさに応じ、挿入しやすい形状をしている。
【０００４】
前記３件の公開特許公報中、前段２件の公開特許公報の減圧抽出部は、ラグビーボール状のコアと、前記コアを被覆するケースと一体にて組立て、ビール缶体の開口部より挿入しやすい形状にて形成されている。
【０００５】
他方後段の公開特許公報に掲載されている減圧抽出部は、缶体の開口部の径が大きくても挿入しやすくするため、飲みやすい泡量が得られるように螺旋状の抽出通路部を有するコアを、円柱形状に形成している。
【０００６】
しかし後段の円柱形状のコアの場合は、ビールが注入されている缶体の開口部が小さいタイプの場合使用が不可能であった。
【０００７】
仮にも、前記した円柱形状のコアをコンパクトにして螺旋状抽出通路部を形成すると、吸引せしめる螺旋状の抽出通路部の長さが短くなって、飲みやすい泡立の泡量より多くの泡がビールの液体と共に排出されてしまうおそれがある。
【０００８】
【発明が解決しようとする課題】
本発明は、各メーカー毎に異なるビールを注入する缶体を構成する開口部の径に差異があっても、殊にビールを抽出する減圧抽出部を、前記缶体の開口部より確実に挿入せしめ使用を可能にすると共に、注入されているビールもしくは炭酸飲料の中、殊にビール抽出時において、飲みやすい泡立の泡量を確実に液体と共に抽出ができるようにした。
【０００９】
さらに本発明は、冷やしたビール缶体を嵌挿した際に、保冷状態を確保しながら容易に持運びができるようにした。
【００１０】
また本発明は、ビール缶体を保冷状態のまま持運んだ後、排出して軽くなった缶体の転倒を確実に防止すると共に、ビールの排出作業をスムーズにした。
【００１１】
さらに本発明は、缶体内に充填する炭酸飲料もしくはビールを、高圧ガスを減圧して抽出する減圧抽出部を、従来の減圧抽出部を改良して、長時間にして、且多数回炭酸飲料もしくはビールの抽出を行っても、飲みやすい量の飲料もしくはビールと、飲みやすい泡立ちの量とビールの液体を抽出せしめることができるようにした。
【００１２】
また本発明は、缶体内に落し込んだサイフォン管付き減圧抽出部が、どのような形状で落し込まれても、前記飲料もしくはビールの抽出をスムーズにした。
【００１３】
さらに本発明は、減圧抽出部からサイフォン管を介して、該管の上方部に加勢された抽出飲料（ビールを含む）が、開閉弁体の下方端部に当っても、衝突時の衝撃力を柔らげて飲料の泡立ち要因を減少せしめた。
【００１４】
【課題を解決するための手段】
請求項１記載の発明は、炭酸飲料又はビールを充填する缶体ｋ内に挿入するサイフォン管ｓの下端部に接続する炭酸飲料又はビールを抽出するサーバーにおいて、前記サーバーは、カバー体５と抽出本体１とからなる飲料抽出器ａを有し、該抽出器ａを構成する前記抽出本体１は、該抽出本体を構成する外周壁面部２に、一端部には吸引抽出口部３ａを、他端部には排出口部４を設けると共に、前記吸引抽出口部３ａと排出口部４とを接続する抽出通路部３を形成し、前記排出口部４を前記サイフォン管ｓに接続せしめ、前記カバー体５は、一端部に吸引口部５ａを他端部に開口部５ｂを有し、抽出時に前記抽出通路部３から飲料又はビールが漏れないように、且前記抽出本体１の外周壁面部２を密着状に被覆する構造にて形成し、前記抽出本体１の抽出通路部３は、左側方から右側方へ、右側方から左側方に交互に繰返すカーブ状もしくはウェーブ状とするか、もしくは右側方から左側方へ、左側方から右側方に交互に繰返すカーブ状もしくはウェーブ状とすると共に、前記カバー体５の吸引口部５ａを前記抽出通路部３の吸引抽出口部３ａに接続し飲料又はビールを抽出可能にしたことを特徴とする炭酸飲料及びビールサーバーである。
【００１５】
請求項２記載の発明は、前記カーブ状抽出通路部３は、折曲して形成されるダウン状の折曲底部１０及びアップ状の折曲頂部１１もしくは折曲状左側折曲部及び折曲状右側折曲部を設け、前記折曲底部１０と折曲頂部１１とを接続するか、もしくは左側折曲部と右側折曲部とを接続する抽出通路部を直線状にして、且平行状にて形成せしめることを特徴とする請求項1記載の炭酸飲料及びビールサーバーである。
【００１６】
請求項３記載の発明は、前記抽出本体１は、外観を円柱形状とし、且外周壁面部２に設けたカーブ状抽出通路部３の一端部を吸引抽出口部３ａとし、前記抽出通路部３の他端部は、前記抽出本体１の内部に潜入し、且上面部６に突設する排出口部４を形成すると共に、前記カバー体５は、上方に前記抽出本体１が嵌挿可能な開口部５ｂを、且中空状部１４は前記抽出本体１の外周壁面部２と密着可能な形状とし、前記カバー体５の下方の端部は、前記抽出本体１の吸引抽出口部３ａと接続する吸引口部５ａを設け、前記抽出本体１とカバー体５とを嵌込み組立てることを特徴とする請求項１又は２記載の炭酸飲料及びビールサーバーである。
【００１７】
【発明の実施の形態】
請求項１〜３記載の発明の実施に関する形態は共通するので、以下のとおり一括して説明する。
【００１８】
ａは本発明の要部のサーバーを構成する炭酸飲料及びビールの抽出器であり、抽出本体１とカバー体５とからなっている。前記両体は嵌合させて使用する。
【００１９】
前記抽出本体１は、以下の構成からなる。この抽出本体１は、通常円柱形状にして通常プラスチック製とする。
【００２０】
該抽出本体１の外周壁面部２には、炭酸飲料又はビールを抽出させる抽出通路部３を設ける。そしてこの通路部３は、カーブ状もしくはウェーブ状もしくはアップダウン状とする。以下このカーブ状等についての具体的な実施形態を示す。
【００２１】
前記抽出本体１の底面部９の所定個所、例えば底面部９の中心部に凹状にて吸引抽出口部３ａを設け、さらに外周壁面部２方向に延設する。前記外周壁面部２に表われた吸引抽出口部３ａは、図３、図５、図６に図示したように、前記抽出通路部３と接続する。そして前記通路部３は前記本体１の外周壁面部２にアップダウン状に形成する。
【００２２】
さらに前記抽出通路部３は、前記吸引抽出口部３ａとは別個に前記抽出本体１の他端部もしくは上面部６に突設した排出口部４と接続する。
【００２３】
また前記抽出通路部３と接続する排出口部４は、前記抽出本体１の所定部位の外周壁面部２より、抽出本体１の内側部に達するよう延設し、さらに抽出本体１の上面部６に連通するように形成する。４ａは前記抽出通路部３と排出口部４を接続する孔部である。
【００２４】
前記抽出通路部３は、断面を半円形もしくは凹溝形状もしくは角形状等の形状をもって形成してもよい。通常半円孤形状とする。
【００２５】
抽出通路部３は、通常図３、図５、図６に示す形状とするが、カーブ状でもよい。
【００２６】
さらに前記抽出通路部３は、下方底部より上方頂部方向に折曲させたウェーブ状（波形状）に形成してもよい。
【００２７】
１０は前記抽出通路部３のダウン状の折曲底部、１１はアップ状の折曲頂部である。
【００２８】
そして前記抽出通路部３の折曲底部１０と折曲頂部１１とを形成するときは、前記底部１０及び同頂部１１以外の直線状抽出通路部３は、平行状にて形成してもよい。
【００２９】
本発明は、前記の折曲底部１０と折曲頂部１１以外に、抽出本体１の外周壁面部２の左側方から右側方へと折曲して形成する左側折曲部と、右側方を折曲して形成する右側折曲部とを交互に形成し、両側折曲部との間を直線状抽出通路部３とをもって接続せしめ形成してもよい。
【００３０】
前記左側折曲部と右側折曲部については図面上図示していない。
【００３１】
さらに前記左右両側折曲部についても、吸引抽出部と排出口部を有する。
【００３２】
また前記左右両側折曲部の抽出通路部と直線状抽出通路部３の断面形状は、前記折曲底部１０と折曲頂部１１等の抽出通路部３の断面形状と同じ形状をもって形成する。
【００３３】
７は抽出本体１の外周壁面部２の上方部に突設した係止用凸部である。
【００３４】
８は前記凸部７の上方部に外側方に突設した鍔部である。
【００３５】
以上が抽出本体１の構成である。
【００３６】
５は前記抽出本体１を嵌挿するカバー体であり、以下の構成からなる。
【００３７】
前記カバー体５は、一端部例えば底部に吸引口部５ａを形成し、他端部例えば上方部に開口部５ｂを形成する。前記カバー体５の内側は前記抽出本体１が嵌挿可能な中空状部１４とする。
【００３８】
１２はカバー体５の内側面部に設けた前記抽出本体１の係止用凸部７が嵌挿する係止用凹部である。前記凹部１２にゴム製のＯリングを挿入せしめ、凹部１２と前記係止用凸部７との間の気密性をより一層高めてもよい。１３はカバー体５の外側壁面部１５に設けた取外し用の辷止め部である。
【００３９】
５ｃは吸引部５ａに設けた切欠き部であり、この切欠き部５ｃは、孔部にて形成してもよい。この切欠き部５ｃは、缶体ｋの底部に接触しても、飲料又はビールの吸引を妨げたりしない。
【００４０】
以上がカバー体５の構成である。
【００４１】
前記抽出本体1とカバー体５を組立てるには、図１、図２のようにカバー体５に抽出本体1を嵌挿する。そのとき抽出本体1の外周壁面部２の表面とカバー体５の内側面とは、殆んど間隙部が形成されない程度で密着する。従って両体１、５が組立てられると、飲料又はビールの通水は前記抽出通路部３と吸引抽出口部３ａと排出口部４となる。
【００４２】
前記のように組立てられた両体をもって、本発明の要部の飲料抽出器ａを構成する。
【００４３】
ｋは炭酸飲料又はビールを充填する缶体である。本発明の缶体ｋは、各メーカーのアルミ製等の２リットル、３リットル等の大きさのものを使用対象とする。１６は缶体ｋの開口部、１７は外周壁部、１８は底部である。
【００４４】
ｂは本発明の抽出器ａと関連する缶体ｋの開口部１６に被嵌するキャップ付き抽出部である。具体的構成は以下のとおりである。
【００４５】
２０はキャップ付き抽出部ｂを構成するキャップである。２１は前記抽出部ｂの内側部に設けた飲料導出路、２２は前記導出路２１の上方開口部を開閉し、上方部はレバー１９と接続する飲料又はビールを供給ノズル２８に供給する開閉弁体である。
【００４６】
前記開閉弁体２２の下方端部は、球形状の開閉部２３を設け、この開閉部２３の外側に凹部２４を形成する。そして前記凹部２４にＯリング２５を嵌挿する。この○リング２５によって、前記導出路２１の上方開口部を遮閉する作用を有している。
【００４７】
さらに前記開閉部２３は、供給するため吸引されたビール等が前記球形状開閉部２３に当っても、球形状のためビール等の吸引に伴う衝突力を弱める機能がある。
【００４８】
２６はスプリング２６ａと球体２６ｂとを有する安全弁である。
【００４９】
２７は前記抽出部ｂの内側部に設けた逆止弁、２８は前記開閉弁体２２を嵌挿せしめる飲料導出路２１の上方と接続する上方導出路２１ａと接続の供給ノズルである。
【００５０】
２９は缶体ｋの開口部１６の大きさに前記抽出部ｂを適合させるアダプターである。
【００５１】
３０は前記抽出部ｂに嵌挿のガスカートリッジ、３１は減圧部である。
【００５２】
本発明の第一の要旨である炭酸飲料及びビール抽出器ａは、ビール等が充填された前記缶体ｋ内に嵌挿して使用する。さらに前記缶体ｋには、炭酸ガスが充填したガスカートリッジ３０等が取着されている。そしてビールを抽出する手法は、従来の方式と変らないので、その具体的内容の説明は省略する。
【００５３】
缶体ｋに充填中のビールをノズル２８から注出するには、レバー１９を押下げ、レバー１９と当接する開閉弁体２２の開閉部２３が、下方へ押下げられて導出部２１の閉止を解除された状態となる。
【００５４】
そして、缶体ｋの充填ビールは、前記ガスカートリッジ３０内の炭酸ガスが、所定の圧力で調整され前記缶体ｋに噴射されている。
【００５５】
前記の工程は、従来のビールサーバーと何ら変らない。
【００５６】
つぎに前記ビール等の抽出器ａの作用を説明する。
【００５７】
前記缶体ｋに充填中のビールは、前記レバー１９を押下すると、前記抽出器ａを構成する抽出本体１の吸引抽出口部３ａから抽出通路部３へ、さらに排出口部４へと減圧され、しかもビールの流速が弱められてサイフォン管ｓから導出路２１へと上昇する。
【００５８】
上記のようにビールは、吸引抽出口部３ａから排出口部４に到達するには、最初の折曲底部１０によって、ビールの流速は若干弱められる。さらに直線状抽出通路部３においては、比較的スムーズに流れ、さらに最初の折曲頂部１１によって、さらにビールの流速は弱められる。次に直線状抽出通路部３では、比較的スムーズに流れ、さらに次の折曲底部１０において、ビールの流速は若干弱められる。
【００５９】
以上のように、折曲底部１０、直線状抽出通路部３及び折曲頂部１１…へと順次吸引抽出口部３ａから、排出口部４に到達する段階で、高圧ガスによって押圧されていたビールの流速が順次弱められて、前記供給ノズル２８から直接コップに飲みやすい量の泡立ちを有するビールとなって注ぎ込まれる。
【００６０】
前記コップへのビールの注入が終了したら、前記レバー１９の押圧作業を終了すると、ビールの抽出はストップする。
【００６１】
本発明は、前記抽出器ａ以外に、他の実施形態もある。
【００６２】
さらに前記抽出本体１の抽出通路部３の断面形状を半円孤形状以外に、断面角形状、多角形状等にした場合でも、ビールの流速を漸次減少でき、飲みやすい量の泡立ちを有するビールの抽出が可能である。
【００６３】
また前記抽出通路部３の形状については、各請求項及び本発明の解決手段において、類々説明したとおり、複数の形態が得られる。これらの各種形態の場合でも、ビールの流速を漸次減少させ、飲み易い量の泡立ちを有するビールを抽出せしめることができる。
【００６４】
抽出本体１の係止用凸部８は、カバー体５の係止用凹部１２に嵌合する。
【００６５】
さらにカバー体５の辷止め部１３によって、カバー体５と抽出本体１との離脱が容易である。
【００６６】
また本発明は、サイフォン管ｓから導出路２１に達したビールの衝撃力は、開閉部２３が球形状のため弱められる。
【００６７】
さらに本発明は、ビール等を充填した缶体ｋが嵌挿可能な形状の真空部３２付きにして、且ハンドル３３付きの転倒防止用具ｃを予め別設しておき、前記缶体ｋを前記防止用具ｃに嵌挿すれば、アウトドア用として保管状態のまま運搬ができる。
【００６８】
また前記用具ｃに缶体ｋを収納し、仮にも充填中のビール等が少量となっても、転倒のおそれがない。
【００６９】
さらに本発明の前記抽出器ａを構成するカバー体５の吸収口部５ａを、切欠き部５ｃにしたり、あるいは孔部を形成することによって、缶体ｋの底部１８等に吸収口部５ａが密着するようなことがあっても、ビール等の吸引が妨害されない。
【００７０】
【発明の効果】
請求項１記載の発明は、炭酸飲料又はビールを充填する缶体ｋ内に挿入するサイフォン管ｓの下端部に接続する炭酸飲料又はビールを抽出するサーバーにおいて、前記サーバーは、カバー体５と抽出本体１とからなる飲料抽出器ａを有し、該抽出器ａを構成する前記抽出本体１は、該抽出本体を構成する外周壁面部２に、一端部には吸引抽出口部３ａを、他端部には排出口部４を設けると共に、前記吸引抽出口部３ａと排出口部４とを接続する抽出通路部３を形成し、前記排出口部４を前記サイフォン管ｓに接続せしめ、前記カバー体５は、一端部に吸引口部５ａを他端部に開口部５ｂを有し、抽出時に前記抽出通路部３から飲料又はビールが漏れないように、且前記抽出本体１の外周壁面部２を密着状に被覆する構造にて形成し、前記抽出本体１の抽出通路部３は、左側方から右側方へ、右側方から左側方に交互に繰返すカーブ状もしくはウェーブ状とするか、もしくは右側方から左側方へ、左側方から右側方に交互に繰返すカーブ状もしくはウェーブ状とすると共に、前記カバー体５の吸引口部５ａを前記抽出通路部３の吸引抽出口部３ａに接続し飲料又はビールを抽出可能にした炭酸飲料及びビールサーバーなので、前記缶体の開口部のサイズが異なっていても、飲料抽出器の挿入が可能であると共に、高圧炭酸ガスの圧力を漸次減圧させながら飲みやすい泡の量と共にビールを抽出せしめることができる。
【００７１】
請求項２記載の発明は、前記カーブ状抽出通路部３は、折曲して形成されるダウン状の折曲底部１０及びアップ状の折曲頂部１１もしくは折曲状左側折曲部及び折曲状右側折曲部を設け、前記折曲底部１０と折曲頂部１１とを接続するか、もしくは左側折曲部と右側折曲部とを接続する抽出通路部を直線状にして、且平行状にて形成せしめる炭酸飲料及びビールサーバーなので、請求項１記載の発明と同じ効果を有している。
【００７２】
請求項３記載の発明は、前記抽出本体１は、外観を円柱形状とし、且外周壁面部２に設けたカーブ状抽出通路部３の一端部を吸引抽出口部３ａとし、前記抽出通路部３の他端部は、前記抽出本体１の内部に潜入し、且上面部６に突設する排出口部４を形成すると共に、前記カバー体５は、上方に前記抽出本体１が嵌挿可能な開口部５ｂを、且中空状部１４は前記抽出本体１の外周壁面部２と密着可能な形状とし、前記カバー体５の下方の端部は、前記抽出本体１の吸引抽出口部３ａと接続する吸引口部５ａを設け、前記抽出本体１とカバー体５とを嵌込み組立てる炭酸飲料及びビールサーバーなので、請求項１及び請求項２記載の発明の効果と同じ効果を有している。
【図面の簡単な説明】
【図１】本発明炭酸飲料及びビールサーバーの縦断面図である。
【図２】同右側面図である。
【図３】同抽出器を構成する抽出本体の正面図である。
【図４】図３の抽出本体の底面図である。
【図５】図３の抽出本体の斜視図である。
【図６】抽出本体の外側面を展開した状態を示す図である。
【図７】カバー体の縦断面図である。
【図８】缶体の開口部に被蓋するキャップ部とカートリッジ等の取着状態を示す一部切欠拡大縦断面図である。
【図９】図８の各構成部材の拡大背面図である。
【図１０】アダプターの正面図である。
【図１１】開閉弁体の正面図である。
【符号の説明】
ａ      抽出器
ｂ      キャップ付き抽出部
ｃ      転倒防止用具
ｓ      サイフォン管
１      抽出本体
２      外周壁面部
３      抽出通路部
３ａ    吸引抽出口部
４      排出口部
４ａ    孔部
５      カバー体
５ａ    吸引口部
５ｂ    開口部
５ｃ    切欠き部
６      上面部
７      係止用凸部
８      鍔部
９      底面部
１０      折曲底部
１１      折曲頂部
１２      係止用凹部
１３      辷止め部
１４      中空状部
１５      外側壁面部
１５ａ    辷止め部
１６      開口部
１７      外側壁部
１８      底部
１９      レバー
２０      キャップ
２１      飲料導出路
２１ａ    上方導出路
２２      開閉弁体
２３      開閉部
２４      凹部
２５      〇リング
２６      安全弁
２６ａ    スプリング
２６ｂ    球体
２７      逆止弁
２８      供給ノズル
２９      アダプター
３０      ガスカートリッジ
３１      減圧部
３２      真空部
３３      ハンドル
【図１】
0003584372.tif 000002
【図２】
0003584372.tif 000003
【図３】
0003584372.tif 000004
【図４】
0003584372.tif 000005
【図５】
0003584372.tif 000006
【図６】
0003584372.tif 000007
【図７】
0003584372.tif 000008
【図８】
0003584372.tif 000009
【図９】
0003584372.tif 000010
【図１０】
0003584372.tif 000011
【図１１】
0003584372.tif 000012